(57)【特許請求の範囲】
【請求項１】
カメラ用付属品に固定されカメラのアクセサリシューに挿抜自在に装着される取付足部材の外周に、この取付足部材を前記アクセサリシューに締め付ける締め付け部材を螺合してなるカメラ用付属品の装着固定装置において、
前記取付足部材に、カメラ側に形成される係止穴に向けて付勢される係止ピンを配置するとともに、前記締め付け部材に、この締め付け部材の所定角度の回動により前記係止ピンを前記係止穴に挿脱するカム部材を配置してなることを特徴とするカメラ用付属品の装着固定装置。
【請求項２】
請求項１記載のカメラ用付属品の装着固定装置において、
前記カム部材を、前記締め付け部材の前記カメラ用付属品側に形成される凹部内に、クリック機構を介して収容するとともに、前記カメラ用付属品側に、前記カム部材の回動を規制する規制部を形成してなることを特徴とするカメラ用付属品の装着固定装置。
【請求項３】
請求項２記載のカメラ用付属品の装着固定装置において、
前記カム部材を円弧状に形成し、両端部に、前記規制部に当接される規制面を形成してなることを特徴とするカメラ用付属品の装着固定装置。
【請求項４】
請求項１記載のカメラ用付属品の装着固定装置において、
前記カム部材を、前記締め付け部材のカメラ用付属品側に形成される係止部に弾性状態で嵌合するとともに、前記カメラ用付属品側に、前記カム部材の回動を規制する規制部を形成してなることを特徴とするカメラ用付属品の装着固定装置。
【請求項５】
請求項４記載のカメラ用付属品の装着固定装置において、
前記カム部材の内側を円弧状に形成し、その両端部に、前記規制部に当接される規制面を形成してなることを特徴とするカメラ用付属品の装着固定装置。
【請求項６】
請求項４または５記載のカメラ用付属品の装着固定装置において、
前記カム部材に、外方に向けて突出する指掛け部を形成してなることを特徴とするカメラ用付属品の装着固定装置。
【発明の詳細な説明】
【０００１】
【発明の属する技術分野】
本発明は、カメラのアクセサリシューに装着されるカメラ用付属品の装着固定装置に係わり、特に、カメラ用付属品のアクセサリシューからの外れを防止する機構を備えたカメラ用付属品の装着固定装置に関する。
【０００２】
【従来の技術】
従来、閃光装置等のカメラ用付属品のアクセサリシューからの外れを防止する機構を備えたカメラ用付属品の装着固定装置として、例えば、実開平２−９５０２２号公報，実開平２−９５０２３号公報に開示されるものが知られている。
これ等の公報に開示されるカメラ用付属品の装着固定装置では、カメラ用付属品側の取付足部材に、上下作動可能な位置決め係止ピンが組み付けられており、カメラ用付属品側の締め付け部材の締め付け状態において、アクセサリーシュー側の位置決め用穴に、位置決め係止ピンを落とし込むことにより、カメラ用付属品側の取付足部材がアクセサリーシューから外れることが防止される。
【０００３】
【発明が解決しようとする課題】
しかしながら、上述したカメラ用付属品の装着固定装置では、カメラ用付属品側の取付足部材に組み付けられている位置決め係止ピンを、アクセサリーシュー側の位置決め用穴に落とし込み、カメラ用付属品側の取付足部材がアクセサリーシューから外れないようにするためには、カメラ用付属品側の締め付け部材を、完全に締め込まなければならないという問題があった。
【０００４】
また、位置決め係止ピンをアクセサリーシュー側の位置決め用穴から外す場合においても、カメラ用付属品側の締め付け部材を完全に緩めないと係止ピンが位置決め用穴から外れず、緩め不完全状態において、カメラ用付属品側の取付足部材をカメラ側アクセサリーシューから離脱しようとすると、位置決め係止ピンの折れ、あるいは曲がり等の不具合が発生し作動不良になる虞があった。
【０００５】
本発明は、かかる従来の問題を解決するためになされたもので、締め付け部材の所定角度の回動により、係止ピンをカメラ側に形成される係止穴に確実に挿脱することができるカメラ用付属品の装着固定装置を提供することを目的とする。
【０００６】
【課題を解決するための手段】
請求項１のカメラ用付属品の装着固定装置は、カメラ用付属品に固定されカメラのアクセサリシューに挿抜自在に装着される取付足部材の外周に、この取付足部材を前記アクセサリシューに締め付ける締め付け部材を螺合してなるカメラ用付属品の装着固定装置において、前記取付足部材に、カメラ側に形成される係止穴に向けて付勢される係止ピンを配置するとともに、前記締め付け部材に、この締め付け部材の所定角度の回動により前記係止ピンを前記係止穴に挿脱するカム部材を配置してなることを特徴とする。
【０００７】
請求項２のカメラ用付属品の装着固定装置は、請求項１において、前記カム部材を、前記締め付け部材の前記カメラ用付属品側に形成される凹部内に、クリック機構を介して収容するとともに、前記カメラ用付属品側に、前記カム部材の回動を規制する規制部を形成してなることを特徴とする。
請求項３のカメラ用付属品の装着固定装置は、請求項２において、前記カム部材を円弧状に形成し、両端部に、前記規制部に当接される規制面を形成してなることを特徴とする。
【０００８】
請求項４のカメラ用付属品の装着固定装置は、請求項１において、前記カム部材を、前記締め付け部材のカメラ用付属品側に形成される係止部に弾性状態で嵌合するとともに、前記カメラ用付属品側に、前記カム部材の回動を規制する規制部を形成してなることを特徴とする。
請求項５のカメラ用付属品の装着固定装置は、請求項４において、前記カム部材の内側を円弧状に形成し、その両端部に、前記規制部に当接される規制面を形成してなることを特徴とする。
【０００９】
請求項６のカメラ用付属品の装着固定装置は、請求項４または５において、前記カム部材に、外方に向けて突出する指掛け部を形成してなることを特徴とする。
【００１０】
【作用】
請求項１のカメラ用付属品の装着固定装置では、締め付け部材を所定角度回動すると、カム部材により係止ピンがカメラ側の係止穴に挿脱される。
【００１１】
請求項２のカメラ用付属品の装着固定装置では、クリック機構により、回転の初期にのみ締め付け部材とカム部材とが連動して回転され、カム部材により係止ピンがカメラ側の係止穴に挿脱される。
そして、カム部材の回転が規制部により規制されると、クリック機構により、締め付け部材のみが滑って単独で回転される。
【００１２】
請求項３のカメラ用付属品の装着固定装置では、カム部材が円弧状に形成され、両端部に、規制部に当接される規制面が形成される。
請求項４のカメラ用付属品の装着固定装置では、カム部材を、締め付け部材のカメラ用付属品側に形成される係止部に弾性状態で嵌合したので、回転の初期にのみ締め付け部材とカム部材とが連動して回転され、カム部材により係止ピンがカメラ側の係止穴に挿脱される。
【００１３】
そして、カム部材の回転が規制部により規制されると、締め付け部材のみが滑って単独で回転される。
請求項５のカメラ用付属品の装着固定装置では、カム部材の内側が円弧状に形成され、その両端部に規制部に当接される規制面が形成される。
請求項６のカメラ用付属品の装着固定装置では、カム部材に外方に向けて突出して形成される指掛け部を操作することにより、カム部材のみが単独で回動される。
【００１４】
【発明の実施の形態】
以下、本発明の詳細を図面に示す実施例について説明する。
図１ないし図３は、本発明のカメラ用付属品の装着固定装置の第１の実施例を示している。
このカメラ用付属品の装着固定装置は、取付足部材１，締め付け環２，カム環３，係止ピン４，付勢バネ５およびカメラ用付属品本体６により主体部分が構成されている。
【００１５】
取付足部材１は、図２および図３に示すように、閃光装置からなるカメラ用付属品の本体６に、支持板７を介してビス８により連結固定されている。
また、取付足部材１には、カメラのアクセサリシュー９に挿抜自在に挿入される挿入部１ｃが形成されている。
さらに、取付足部材１には、カメラ側の電気接点１０に当接される端子ピン１１が配置されている。
【００１６】
この端子ピン１１は、コイルスプリング１２により、電気接点１０側に向けて付勢されている。
コイルスプリング１２の他端は、カメラ用付属品本体６に内蔵される図示しない電気回路に電気的に接続されている。
取付足部材１は、円柱状をしており、一側には、係止ピン４を取り付けるための溝穴１ａが形成されている。
【００１７】
また、外周には、締め付け環２が螺合されるネジ部１ｂが形成されている。
さらに、取付足部材１には、ビス８が螺合されるビス穴１ｄが４箇所形成されている。
締め付け環２は、円環状をしており、カメラ用付属品本体６側には、円環状の凹部２Ａが形成されている。
【００１８】
この凹部２Ａの内周には、カム環３のクリック突子３ａ，３ｂが嵌合される山溝２ａが多数形成されている。
また、凹部２Ａの上端には、凹部２Ａ内に収容されたカム環３の脱落を防止するためのひさし部２ｂが３箇所形成されている。
さらに、締め付け環２の内周には、取付足部材１に螺合されるネジ部２ｃが形成されている。
【００１９】
カム環３は、円弧状をしており、両端の外側には、締め付け環２の山溝２ａに嵌合するクリック突子３ａ，３ｂが形成されている。
カム環３には、係止ピン４を上下に移動するためのカム斜面３ｃが、角度θの範囲にわたって形成されている。
また、カム斜面３ｃの一側には、係止ピン４の解除上面位置となるカム上面３ｄが形成され、他側には、係止ピン４の係合下面位置となるカム下面３ｅが形成されている。
【００２０】
さらに、カム環３の両端には、締め付け環２の締め，緩め作動時にカム環３が回動する範囲を制限するための連動回転規制面３ｆ、３ｇが設けられている。
なお、この実施例では、カム環３は、ポリアセタール，ポリプロピレン，ナイロン，ポリエチレン等のバネ特性を有するプラスチック樹脂により一体成形されている。
【００２１】
これにより、カム環３を撓ませることが容易に可能になり、カム環３を撓ませた状態で、ひさし部２ｂの内側の凹部２Ａ内に組み込むことが容易に可能になる。
係止ピン４には、係止ピン４をカム斜面３ｃに沿って案内するための案内突起４ａが形成されている。
この係止ピン４の案内突起４ａとカメラ用付属品本体６との間には、付勢バネ５が配置され、案内突起４ａがカム斜面３ｃに押圧されている。
【００２２】
カメラ用付属品本体６には、カム環３の連動回転規制面３ｆ，３ｇに当接し、カム環３の回動範囲を規制するストッパ６ａが設けられている。
図２は、上述したカメラ用付属品の装着固定装置が、カメラのアクセサリシュ−９に挿入された状態における係止ピン４の解除状態を示している。
【００２３】
すなわち、取付足部材１のネジ部１ｂと螺合している締め付け環２を緩める方向に初期回転させると締め付け環２とクリック嵌合しているカム環３も連動回転する。
この連動回転により、カム環３のカム下面３ｅに付勢バネ５により付勢される係止ピン４の案内突起４ａが、カム環３のカム下面３ｅからカム斜面３ｃを通りカム上面３ｄに移動され、これにより案内突起４ａと一体に形成される係止ピン４の位置が、カメラのアクセサリシュ−９の係止穴１３に対して解除状態になる。
【００２４】
なお、この間の回転角は、図１のθ度に相当し、この実施例では、θが約９０度となっているが、実験的にはθを、３０度〜１５０度に設定することにより、係止ピン４の解除操作が容易に行われ、また、確実に係止ピン４が係止穴１３から外れる。
この後、締め付け環２をさらに緩める方向に回転を続けると、連動回転しているカム環３の連動回転規制面３ｇが、カメラ用付属品本体６のストッパ部６ａに当接し回転が制止される。
【００２５】
そして、この後、締め付け環２の山溝２ａとカム環３のクリック突子３ａ，３ｂとの間でクリック滑りを繰り返しながら、締め付け環２のみが最終緩め位置まで単独回転される。
図３は、カメラ用付属品の装着固定装置が、カメラのアクセサリシュ−９に挿入された状態における係止ピン４の係合状態を示している。
【００２６】
すなわち、取付足部材１のネジ部１ｂと螺合している締め付け環２を、締め付ける方向に初期回転させると、締め付け環２とクリック嵌合しているカム環３も連動回転する。
この連動回転により、カム環３のカム上面３ｄに付勢バネ５により付勢される係止ピン４の案内突起４ａが、カム環３のカム上面３ｄからカム斜面３ｃを通りカム下面３ｅに移動され、これにより案内突起４ａと一体に形成される係止ピン４の位置が、カメラのアクセサリシュ−９の係止穴１３に対して係合状態になる。
【００２７】
なお、この間の回転角は、図１のθ度に相当し、この実施例では、θが約９０度となっているが、実験的にはθを、３０度〜１５０度に設定することにより、係止ピン４の係合操作が容易に行われ、また、確実に係止ピン４が係止穴１３に係合される。
この後、締め付け環２をさらに締め付ける方向に回転を続けると、連動回転しているカム環３の連動回転規制面３ｆが、カメラ用付属品本体６のストッパ部６ａに当接し回転が制止される。
【００２８】
そして、この後、締め付け環２の山溝２ａとカム環３のクリック突子３ａ，３ｂとの間でクリック滑りを繰り返しながら、締め付け環２のみが最終締め付け位置まで単独回転される。
なお、カム環３のカム斜面３ｃの傾斜角度は、締め付け環２の取付足部材１と螺合するネジ部２ｃの傾斜角度より充分に大きく設定されていることは言うまでもない。
【００２９】
以上のように構成されたカメラ用付属品の装着固定装置では、締め付け環２の締め付け，緩め操作の初期回転動作に連動して、係止ピン４を迅速かつ完全に、カメラのアクセサリシュ−９の係止穴１３に係合，解除することができる。
また、係止ピン４が、常に係止穴１３に対して落ち込む方向の付勢バネ５のバネ力により付勢されているため、振動や衝撃等が加わっても係止ピン４は係止方向へ移動するので、カメラ用付属品が係合状態から外れることを確実に防止することができる。
【００３０】
そして、締め付け環２の締め付け，緩め操作角（図１のθに相当する角度）を小さく設定できるので、係止ピン４の係合，解除を、迅速かつ確実に行ことが可能となり、係止ピン４が折れたり、曲がったりする等の事故を確実に防止することができる。
【００３１】
また、係止ピン４がカム環３から独立して上下作動可能なため、係止穴１３が用意されていないカメラのアクセサリシュ−にもカメラ用付属品の取り付け，取り外しをすることができる。
さらに、上述したカメラ用付属品の装着固定装置では、締め付け環２とともに連動回転しているカム環３の連動回転規制面３ｆまたは３ｇが、カメラ用付属品本体６のストッパ部６ａに当接しカム環３の回転が制止されると、締め付け環２が、山溝２ａとカム環３のクリック突子３ａ，３ｂとの間でクリック滑りを繰り返し、カリカリという音を発生しながら、締め付け環２のみが最終締め付けまたは緩め位置まで単独回転される。
【００３２】
従って、使用者は、カリカリという音が発生した時には、係止ピン４が完全にカメラのアクセサリシュ−９の係止穴１３に係合または解除されていることを容易に知ることができる。
これにより、例えば、カメラ用付属品が外れるほど締め付けが緩んでいる時には、係止ピン４の係止状態を確認することなく、カメラ用付属品をアクセサリシュー９から取り外すことができる。
【００３３】
図４，図５，図６は、本発明のカメラ用付属品の装着固定装置の第２の実施例を示している。
なお、この実施例において、第１の実施例と同一部材には、同一符号を付して詳細な説明を省略する。
この実施例では、締め付け環２２のカメラ用付属品本体６側には、カム環２３が係合される円周フック部２２ａが形成されている。
【００３４】
また、カム環２３には、締め付け環２２の円周フック部２２ａに嵌合されるフック受け部２３ａ，２３ｂが形成されている。
フック受け部２３ａ，２３ｂは、カム環３の円周に一対形成され、これ等の間に切り欠き部２３ｉが形成されている。
【００３５】
カム環２３の内側には、カム部２３Ａが円弧状に形成され、その両端部に、締め付け環２２の締め，緩め動作時にカム環２３の移動する範囲を制限するための連動回転規制面３ｆ、３ｇが設けられている。
また、カム環２３の外周には、カム環２３を単独操作することにより係止ピン４を強制的に上下させてアクセサリーシュー９の係止穴１３への係合，解除を行う指掛け部２３ｈが設けられている。
【００３６】
この実施例では、カム環２３は、変形が容易で、比較的滑り易いポリアセタール，ポリプロピレン，ポリカーボネイト，ポリエチレン，ナイロン等のプラスチック樹脂で一体成形されている。
そして、カム環２３の締め付け環２２への組み付けは、カム環２３のフック受け部２３ａ，２３ｂが、締め付け環２２の円周フック２２ａを無理に乗り越えるようにして行われ、図５に示すような位置関係に組み付けられる。
【００３７】
その際、フック受け部２３ａ，２３ｂに形成される切り欠き部２３ｉが、カム環２３の変形を容易にすることにより、乗り越えるのを容易にする。
このようにして組み付けられた状態では、締め付け環２２とカム環２３は相互間で発生する摩擦力により一体となって回転するが、摩擦力を超えた力が相互間に作用した場合には相互に独立した回転が可能である。
【００３８】
図５は、カメラ用付属品の装着固定装置が、カメラのアクセサリシュ−９に挿入された状態における係止ピン４の解除状態を示している。
すなわち、この実施例では、取付足部材１のネジ部１ｂと螺合している締め付け環２２を緩める方向に初期回転させると、締め付け環２２と円周フック部２２ａの摩擦力で係合しているカム環２３も連動回転する。
【００３９】
この連動回転により、カム環２３のカム下面３ｅに付勢バネ５により付勢される係止ピン４の案内突起４ａが、カム環２３のカム下面３ｅからカム斜面３ｃを通りカム上面３ｄに移動され、これにより案内突起４ａと一体に形成される係止ピン４の位置が、カメラのアクセサリシュ−９の係止穴１３に対して解除状態になる。
【００４０】
なお、この間の回転角は、図４のθ度に相当し、この実施例では、θが約９０度となっているが、実験的にはθを、３０度〜１５０度に設定することにより、係止ピン４の解除操作が容易に行われ、また、確実に係止ピン４が係止穴１３から外れる。
この後、締め付け環２２をさらに緩める方向に回転を続けると、連動回転しているカム環２３の連動回転規制面３ｇが、カメラ用付属品本体６のストッパ部６ａに当接し回転が制止される。
【００４１】
そして、この後、締め付け環２２の円周フック部２２ａとカム環２３のフック受け部２３ａ，２３ｂとの間で滑り動作をしながら、締め付け環２２のみが、最終緩め位置まで単独回転される。
図６は、カメラ用付属品の装着固定装置が、カメラのアクセサリシュ−９に挿入された状態における係止ピン４の係合状態を示している。
【００４２】
すなわち、取付足部材１のネジ部１ｂと螺合している締め付け環２２を、締め付ける方向に初期回転させると、締め付け環２２と摩擦力を介して嵌合しているカム環２３も連動回転する。
この連動回転により、カム環２３のカム上面３ｄに付勢バネ５により付勢される係止ピン４の案内突起４ａが、カム環２３のカム上面３ｄからカム斜面３ｃを通りカム下面３ｅに移動され、これにより案内突起４ａと一体に形成される係止ピン４の位置が、カメラのアクセサリシュ−９の係止穴１３に対して係合状態になる。
【００４３】
なお、この間の回転角は、図４のθ度に相当し、この実施例では、θが約９０度となっているが、実験的にはθを、３０度〜１５０度に設定することにより、係止ピン４の係合操作が容易に行われ、また、確実に係止ピン４が係止穴１３に係合される。
この後、締め付け環２２をさらに締め付ける方向に回転を続けると、連動回転しているカム環２３の連動回転規制面３ｆが、カメラ用付属品本体６のストッパ部６ａに当接し回転が制止される。
【００４４】
そして、この後、締め付け環２２を締め付け方向に回転させ続けると、締め付け環２２はカム環２３に対して滑り回転しながら、アクセサリーシュー９の上面に当たるまで単独で回転される。
図７は、カメラのアクセサリーシュー９に、第２の実施例のカメラ用付属品の装着固定装置を取り付けた状態を示している。
【００４５】
この第２の実施例では、カム環２３の指掛け部２３ｈを回動操作することにより、カム環２３のみを、角度θの範囲で自在に回動することができる。
すなわち、カム環２３を、係止ピン４を係止穴１３に落とし込んでロックする方向（図４の矢印方向）、あるいは、係止ピン４を解除する方向（図４の矢印と逆方向）に単独で回動することが常に可能である。
【００４６】
従って、雨滴の浸入等により、締め付け環２２とカム環２３の摩擦力が極端に小さくなり、カム環２３が締め付け環２２の締め付け操作に連動回動しない異常な場合にも、指掛け部２３ｈの手動操作により係止ピン４のロックあるいは解除操作が容易に可能になる。
また、指掛け部２３ｈを外部から視認可能な位置に配置することにより、係止ピン４がロック状態にあるか、解除状態にあるのかを一目で判断できるので、使用者に安心感を与えることができる。
【００４７】
なお、以上述べた実施例では、本発明を、閃光装置に適用した例について説明したが、本発明はかかる実施例に限定されるものではなく、カメラに取り付けられるカメラ用付属品に広く適用することができる。
また、上述した実施例では、締め付け部材およびカム部材を環状にしたが、操作方向を直進方向にした板形状の締め付け部材と板形状のカム部材により、係止ピンを係止穴に挿脱する機構も容易に考えられる。
【００４８】
【発明の効果】
以上述べたように、請求項１のカメラ用付属品の装着固定装置では、締め付け部材を所定角度回動すると、カム部材により係止ピンがカメラ側の係止穴に挿脱されるため、係止ピンをカメラ側に形成される係止穴に確実に挿脱することができる。
【００４９】
請求項２のカメラ用付属品の装着固定装置では、クリック機構により回転の初期にのみ締め付け部材とカム部材とが連動して回転され、回転の初期にカム部材により係止ピンがカメラ側の係止穴に挿脱されるため、回転の初期において、係止ピンをカメラ側に形成される係止穴に確実に挿脱することができる。
請求項３のカメラ用付属品の装着固定装置では、カム部材が円弧状に形成され、両端部に、規制部に当接される規制面が形成されるため、規制面を容易に形成することができる。
【００５０】
請求項４のカメラ用付属品の装着固定装置では、回転の初期にのみ締め付け部材とカム部材とが連動して回転され、回転の初期にカム部材により係止ピンがカメラ側の係止穴に挿脱されるため、回転の初期において、係止ピンをカメラ側に形成される係止穴に確実に挿脱することができる。
請求項５のカメラ用付属品の装着固定装置では、カム部材の内側が円弧状に形成され、両端部に、規制部に当接される規制面が形成されるため、規制面を容易に形成することができる。
【００５１】
請求項６のカメラ用付属品の装着固定装置では、指掛け部を操作することにより、カム部材のみを単独で回動することができるという利点がある。
【図面の簡単な説明】
【図１】本発明のカメラ用付属品の装着固定装置の第１の実施例を示す分解斜視図である。
【図２】図１のカメラ用付属品の装着固定装置における係止ピンの解除状態を示す断面図である。
【図３】図１のカメラ用付属品の装着固定装置における係止ピンの係合状態を示す断面図である。
【図４】本発明のカメラ用付属品の装着固定装置の第２の実施例を示す分解斜視図である。
【図５】図４のカメラ用付属品の装着固定装置における係止ピンの解除状態を示す断面図である。
【図６】図４のカメラ用付属品の装着固定装置における係止ピンの係合状態を示す断面図である。
【図７】図４のカメラ用付属品の装着固定装置をアクセサリシューに取り付けた状態を示す斜視図である。
【符号の説明】
１  取付足部材
１ａ  溝穴
１ｂ  ネジ部
２，２２  締め付け環
２ｂ  ネジ部
３，２３  カム環
３ａ，３ｂ  クリック突子
３ｃ  カム斜面
３ｄ  カム上面
３ｅ  カム下面
３ｆ，３ｇ  連動回転規制面
４  係止ピン
４ａ  案内突起
５  付勢バネ
６  カメラ用付属品本体
６ａ  ストッパー部
９  アクセサリシュ−
１３  係止穴
２２ａ  円周フック部
２３ａ，２３ｂ  フック受け部
【図１】
0003607957.tif 000002
【図２】
0003607957.tif 000003
【図３】
0003607957.tif 000004
【図４】
0003607957.tif 000005
【図５】
0003607957.tif 000006
【図６】
0003607957.tif 000007
【図７】
0003607957.tif 000008